(57)【要約】      （修正有）【課題】小枝、落ち葉等のごみを収集する際に、同時に掃き入れてしまった土、砂、小石等を容易に選り分けられる塵取りを提供する。【解決手段】みの、塵取りの底面或いは側面の、一部或いは全部を網目状または、横、縦に線状の溝穴を設けて、土、砂、小石等をふるい落とす構造と、塵取りの中央部分より溜まる側に１ｃｍ前後の段差を設けて、土、砂、小石を集め、小枝、葉、落ち葉、ごみを仕分けする構造にした。【選択図】図１
0003168283.tif 000002
【実用新案登録請求の範囲】
【請求項１】
みの又は塵取りの底面或いは側面の、一部或いは全部を網目状または、横、縦の線状の複数の溝穴を設け、土、砂や小石をふるい落とし小枝、葉、落ち葉、ごみを集めることを特徴とするふるい機能付き塵取りの砂リッチ。
【請求項２】
塵取り出入口と溜る場所の中央部分よりに溜まる側に１ｃｍ前後の段差を設け、小枝、葉、落ち葉、ごみと土、砂、小石を仕分けして集める事を特徴とする塵取りの砂リッチ。
【考案の詳細な説明】
【技術分野】
【０００１】  この考案は、蓑の底面、側面に網目状、横、縦に線状化した長穴、あるいは丸、正方形、長方形、十字形の形状にした小穴のふるい機能を付けたふるい機能付き塵取りと箒の掃き入れ作業に於いて、可燃ゴミの紙屑や落葉、小枝と不燃の土や小石、砂の仕分けを塵取りの中で行なう塵取りに関するものである。
【背景技術】
【０００２】  従来の塵取りでは、庭の掃除などをするとき、小枝、落ち葉を集める場合、塵取りの中に、小石、砂や土などが一緒に混入してしまい、落ち葉と、小石、砂や土を分別するのに苦労した。また落ち葉の中に、小石、砂や土が一緒に入っていると、落ち葉を焼却するときも効率が悪く、焼却炉もいため、さらに小石、砂や土は、捨てる必要もないのに、落ち葉や燃え殼らと共に、街のゴミ収集場に出し、ゴミの量を多くしていた。また、塵取りには、ふるいの機能が備わっているものはない。
また、仕事にしている庭師が剪定が終わり、後片付けの時、小枝、葉と一緒に必ず、小石、砂を蓑に入れてしまう、回数を重ねるとかなりの量の小石、砂をゴミにすることになるのが現状である。
【先行技術文献】
【０００３】
【特許文献】
【特許文献】  特開２００１−０９５７４０
【考案の概要】
【考案が解決しようとする課題】
【０００４】  従来の塵取りの材質は、木製からプラスチック、ポリエチレンと時代と共に進化してきた。家庭用、営業用、農業用（塵取り又は蓑）は軽く、壊れにくくなってきた。しかし形状に関しては、ほとんど進化が見られず、その結果、塵取りの底面に雨水等が溜まりやすく、次に使うとき、不快感が残る。また、従来の塵取りでは落ち葉の掃除をする際に、土、砂、小石等が、小枝、落ち葉と共に塵取り内に掃き入れられてしまう事が多く、落ち葉のみを収集する事が困難であった。本考案は、以上のような欠点をなくす為になされたものである
【課題を解決する為の手段】
【０００５】  塵取り１の底面２或いは側面の、一部或いは全部に網目状３または横、縦に線状の長穴４を設けるか、または、塵取り１の底面２の出入口５と溜まる場所６の中央部分７より溜まる側に１ｃｍ前後の段差８を設けた。塵取り１を使用すれば、小枝、葉、落ち葉等と共に掃き入れた土、砂、小石等を前記の方法ではふるい落し、落ち葉等のごみのみを収集でき、後記の方法では塵取りの奥の段差８のついた溜まる場所６に土、砂、小石を集め、上部に落ち葉、小枝、ごみを収集することができ仕分けすることができる。
【考案を実施するための形態】
【０００６】  以下、本発明の実施の形態について説明する。
みの、塵取りの底面或いは側面の、一部或いは全部に網目状の部分または横、縦に線状化の長穴を設けるか、或いは塵取り底面の出入口と溜まる場所の中央部分付近の溜まる側に１ｃｍ前後の段差を設けた塵取りを使用すれば、前記の方法では、小枝、葉、落ち葉等と共に掃き入れた土、砂、小石等を前記の方法ではふるい落し、落ち葉等のごみのみを収集でき、後記の方法では塵取りの奥の段差のついた箇所に土、砂、小石を集め、上部に落ち葉、小枝、ごみを収集することができ容易に仕分けすることができる。
本発明は以上のような構造で、これを使用するときは、前記の方法では、落ち葉と共に掃き入れた土、砂、小石等を塵取りの柄を持ってふるい落とし、落ち葉のみを集め、後記の方法では、落ち葉と共に掃き入れた土、砂、小石等を中央部分付近より溜まる側に段差のついた場所に集め、ゴミ、小枝、葉、落ち葉と仕分けする構造にした。
【発明の効果】
【０００７】  ２種類の塵取りで、小枝、葉、落ち葉、ごみと共に掃き入れられた土、砂、小石等を単純な動作によって、容易に選り分ける事ができる。これによって、塵取り内に掃き入れられた小枝、葉、落ち葉、ごみ等のみを、土、砂、小石等が混ざることなく仕分けでき、ごみ袋、ごみ箱等へ簡単に捨てることができる効果が期待できる。
【図面の簡単な説明】
【０００８】
【図１】樹脂板の段付き塵取り斜視図
【図２】樹脂板の段付き塵取り平面図
【図３】樹脂板の段付き塵取り右側面図
【図４】樹脂板の段付き塵取り正面図
【図５】樹脂板の段付き塵取りＡ〜Ａ断面図
【図６】樹脂板の拡大断面図、
【写真１】
竹製の蓑の斜視図Ａ
【写真２】
竹製の蓑の斜視図Ｂ
【写真３】
竹製の蓑の斜視図Ｃ
【写真４】
樹脂製の塵取り斜視図Ａ
【写真５】
樹脂製の塵取り斜視図Ａ
【写真６】
樹脂製の塵取り斜視図Ｂ
【写真７】
樹脂製の塵取り斜視図Ｂ
【写真８】
樹脂製の塵取り斜視図Ｃ
【写真９】
樹脂製の塵取り斜視図Ｃ
【符号の説明】
【００１０】１  塵取り
２  底面または側面
３  網目状
４  横、縦に線状の長穴
５  出入口
６  溜まる場所
７  中央部分
８  段差
９  樹脂板
【図１】
0003168283.tif 000003
【図２】
0003168283.tif 000004
【図３】
0003168283.tif 000005
【図４】
0003168283.tif 000006
【図５】
0003168283.tif 000007
【図６】
0003168283.tif 000008
0003168283.tif 000009
0003168283.tif 000010
0003168283.tif 000011
0003168283.tif 000012
0003168283.tif 000013
0003168283.tif 000014
0003168283.tif 000015
0003168283.tif 000016
0003168283.tif 000017
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
塵取り出入口と砂、小石が溜まる奥側に１ｃｍ前後の段差を設け、小枝、葉、落ち葉、ごみと重みのある砂、土、小石を段差のある場所に集まり、自然に仕分けられ、集める事で、段差の出口側の開放部から砂、土、小石を分別でき捨てられる事を特徴とする塵取り。
【手続補正３】
【補正対象書類名】明細書
【補正対象項目名】０００８
【補正方法】変更
【補正の内容】
【０００８】
【図１】樹脂板の段付き塵取り斜視図
【図２】樹脂板の段付き塵取り平面図
【図３】樹脂板の段付き塵取り右側面図
【図４】樹脂板の段付き塵取り正面図
【図５】樹脂板の段付き塵取りＡ〜Ａ断面図
【図６】樹脂板の拡大断面図
【手続補正４】
【補正対象書類名】図面
【補正対象項目名】全図
【補正方法】変更
【補正の内容】
【図１】
0003168283.tif 000018
【図２】
0003168283.tif 000019
【図３】
0003168283.tif 000020
【図４】
0003168283.tif 000021
【図５】
0003168283.tif 000022
【図６】
0003168283.tif 000023